(57)【要約】【要旨】【課題】文献データベースを用いて、特定の技術が有望な技術ライフサイクル内でどの段階に属するかを判断する有望な技術ライフサイクルを用いた有望な段階判断装置及びその方法の提供。【解決手段】多重資源が統合された文献データベースと、有望な技術ライフサイクルに位置した有望な技術に対して、文献データベースを検索して所定の資質に対する資質値を求め、求めた資質値を用いて有望技術別の資質集合を生成する資質集合生成モジュールと、有望な技術ライフサイクルで同一の段階に属する有望な技術の資質集合間の共通値を求め、段階別の正答資質集合を生成する正答資質集合生成モジュールと、入力された特定の技術に関して文献データベースを検索し、所定の資質に対する資質値を求めて資質集合を生成し、生成された資質集合と正答資質集合を比較して、当該技術が有望な技術ライフサイクル内に属する段階を判断する有望な段階判断モジュールと、を備える。【選択図】図２
2013527531.tif 000002
【特許請求の範囲】
【請求項１】
多重資源が統合された文献データベースと、
有望な技術ライフサイクルに位置した技術に対して、前記文献データベースを検索して所定の資質に対する資質値を求め、前記求められた資質値を用いて技術別の資質集合を生成する資質集合生成モジュールと、
前記有望な技術ライフサイクルにおいて、同一の段階に属する技術の資質集合間の共通値を求めて、段階別の正答資質集合を生成する正答資質集合生成モジュールと、
特定の技術が入力された場合、前記特定の技術に関して前記文献データベースを検索して、所定の資質に対する資質値を求めて資質集合を生成し、前記生成された資質集合と前記正答資質集合を比較して、前記特定の技術が前記有望な技術ライフサイクル内に属する段階を判断する段階判断モジュールと、を備える有望な技術ライフサイクルを用いた有望な段階判断装置。
【請求項２】
前記特定の技術の属する段階が表示された有望な技術ライフサイクルを視覚化する視覚化モジュールをさらに備えることを特徴とする請求項１に記載の有望な技術ライフサイクルを用いた有望な段階判断装置。
【請求項３】
前記文献データベースには、論文、特許、報告書、学術資料、新聞、標準、数値資料よりなる群から選択された一つ以上の資源が統合されていることを特徴とする請求項１に記載の有望な技術ライフサイクルを用いた有望な段階判断装置。
【請求項４】
前記所定の資質は、それぞれの資源の数、資源の割合、それぞれの資源内の該当技術発見分野数、下位技術名の数、研究者数、国家競争力もしくは成長潜在力指数、更新記録、最終処分記録、期間、技術分野分類表、ジャーナル件数、プロシーディング件数、著者名、所属機関、ジャーナル名、資源別の絶対成長率、資源別の相対成長率、資源別の年平均複合成長率に対する成長率、資源別の著者もしくは発明者の割合、論文主題分野の増加率、論文収録ジャーナルの増加率、論文収録ジャーナルの権威、資源別の技術先導国家の成長潜在力、特許登録特許に対する公開特許の割合、特許のパテントファミリーの割合よりなる群から選択された一つ以上を備えることを特徴とする請求項１に記載の有望な技術ライフサイクルを用いた有望な段階判断装置。
【請求項５】
前記資質集合生成モジュールは、
前記有望技術に関して前記文献データベースを検索して、所定の資質集合内のそれぞれの資質の資質値を得るための資質関連情報を獲得する資質関連情報獲得部と、
前記獲得した資質関連情報を用いて、それぞれの資質に対する資質値を有望技術別に求める資質値計算部と、
前記計算された資質値から構成された有望技術別の資質集合を生成する資質集合生成部と、を備えることを特徴とする請求項１に記載の有望な技術ライフサイクルを用いた有望な段階判断装置。
【請求項６】
前記正答資質集合生成モジュールは、前記有望な技術ライフサイクルにおいて同一の段階に属する有望な技術の資質値が他の段階の資質値との弁別力を有する共通の資質値を求め、前記共通の資質値による段階別の正答資質集合を生成することを特徴とする請求項１に記載の有望な技術ライフサイクルを用いた有望な段階判断装置。
【請求項７】
前記共通の資質値は、平均、最小もしくは最大値による範囲、標準偏差、年度別の比較よりなる群から選択された一つ以上であることを特徴とする請求項６に記載の有望な技術ライフサイクルを用いた有望な段階判断装置。
【請求項８】
前記有望な段階判断モジュールは、
特定の技術が入力された場合、前記文献データベースを検索して、所定の資質集合内のそれぞれの資質の資質値を得るための資質関連情報を獲得する資質関連情報獲得部と、
前記獲得した資質関連情報を用いてそれぞれの資質に対する資質値を求める資質値計算部と、
前記計算された資質値から構成された特定の技術の資質集合を生成する資質集合生成部と、
前記特定の技術の資質集合をそれぞれの段階の正答資質集合と比較する資質集合比較部と、
前記比較の結果、類似度の最も高い正答資質集合の段階を、前記特定の技術が前記有望な技術ライフサイクル内に属する段階として判断する段階判断部と、を備えることを特徴とする請求項１に記載の有望な技術ライフサイクルを用いた有望な段階判断装置。
【請求項９】
絶対基準が存在する場合、前記資質集合比較部は、前記特定の技術の資質集合のうち絶対基準に該当する資質値を前記正答資質集合の該当資質値と比較し、
前記段階判断部は、前記比較の結果、類似度の最も高い資質値を有する段階を、前記特定の技術が前記有望な技術ライフサイクル内に属する段階として判断することを特徴とする請求項８に記載の有望な技術ライフサイクルを用いた有望な段階判断装置。
【請求項１０】
前記資質集合比較部は、既に構築されたデシジョンツリーに設定された資質選択のフローによって前記特定の技術の資質集合内の該当資質値を、前記デシジョンツリーに設定された資質選択のフローによる資質値と比較し、
前記段階判断部は、前記デシジョンツリーの資質選択のフローによって最終的に選択された資質値を有する段階を、前記特定の技術が前記有望な技術ライフサイクル内に属する段階として判断することを特徴とする請求項８に記載の有望な技術ライフサイクルを用いた有望な段階判断装置。
【請求項１１】
前記デシジョンツリーに設定された資質選択のフローによる資質値は、前記正答資質集合の資質値であることを特徴とする請求項１０に記載の有望な技術ライフサイクルを用いた有望な段階判断装置。
【請求項１２】
有望な技術ライフサイクルに位置した有望技術に対する資質集合をそれぞれ生成する段階と、
前記有望な技術ライフサイクルにおいて同一の段階に属する有望な資質集合間の共通の資質値を求めて、段階別の正答資質集合を生成する段階と、
特定の技術が入力された場合、前記特定の技術に関する資質集合を生成し、前記特定の技術の資質集合を前記正答資質集合と比較して、前記特定の技術が前記有望な技術ライフサイクル内に属する段階を判断する段階と、を含む有望な技術ライフサイクルを用いた有望な段階判断方法。
【請求項１３】
前記特定の技術の属する段階が表示された有望な技術ライフサイクルを視覚化する段階をさらに含むことを特徴とする請求項１２に記載の有望な技術ライフサイクルを用いた有望な段階判断方法。
【請求項１４】
前記有望な技術に対する資質集合を生成する段階は、
前記有望な技術に関して文献データベースを検索して、所定の資質集合内のそれぞれの資質の資質値を得るための資質関連情報を獲得する段階と、
前記獲得した資質関連情報を用いて、それぞれの資質に対する資質値を有望な技術別に求める段階と、
前記求められた資質値から構成された有望な技術別の資質集合を生成する段階と、を含むことを特徴とする請求項１２に記載の有望な技術ライフサイクルを用いた有望な段階判断方法。
【請求項１５】
前記段階別の正答資質集合を生成する段階は、
前記有望な技術ライフサイクルにおいて同一の段階に属する有望な資質値が他の段階の資質値との弁別力を有する共通の資質値を求め、前記共通の資質値による段階別の正答資質集合を生成することを含むことを特徴とする請求項１２に記載の有望な技術ライフサイクルを用いた有望な段階判断方法。
【請求項１６】
前記共通の資質値は、平均、最小もしくは最大値による範囲、標準偏差、年度別の比較よりなる群から選択された一つ以上であることを特徴とする請求項１５に記載の有望な技術ライフサイクルを用いた有望な段階判断方法。
【請求項１７】
前記有望な技術ライフサイクル内に属する段階を判断する段階は、
特定の技術が入力された場合、前記文献データベースを検索して、所定の資質集合内のそれぞれの資質の資質値を得るための資質関連情報を獲得する段階と、
前記獲得した資質関連情報を用いてそれぞれの資質に対する資質値を求める段階と、
前記計算された資質値から構成された特定の技術の資質集合を生成する段階と、
前記特定の技術の資質集合をそれぞれの段階の正答資質集合と比較する段階と、
前記比較の結果、類似度の最も高い正答資質集合の段階を、前記特定の技術が前記有望な技術ライフサイクル内に属する段階として判断する段階と、を含むことを特徴とする請求項１２に記載の有望な技術ライフサイクルを用いた有望な段階判断方法。
【請求項１８】
前記有望な技術ライフサイクル内に属する段階を判断する段階は、
特定の技術が入力された場合、前記文献データベースを検索して、所定の資質集合内のそれぞれの資質の資質値を得るための資質関連情報を獲得する段階と、
前記獲得した資質関連情報を用いてそれぞれの資質に対する資質値を求める段階と、
前記計算された資質値から構成された特定の技術の資質集合を生成する段階と、
絶対基準が存在する場合、前記特定の技術の資質集合のうち絶対基準に該当する資質値を前記正答資質集合の該当の資質値と比較する段階と、
前記比較の結果、類似度の最も高い資質値を有する段階を、前記特定の技術が前記有望な技術ライフサイクル内に属する段階として判断する段階と、を含むことを特徴とする請求項１２に記載の有望な技術ライフサイクルを用いた有望な段階判断方法。
【請求項１９】
前記有望な技術ライフサイクル内に属する段階を判断する段階は、
特定の技術が入力された場合、前記文献データベースを検索して、所定の資質集合内のそれぞれの資質の資質値を得るための資質関連情報を獲得する段階と、
前記獲得した資質関連情報を用いてそれぞれの資質に対する資質値を求める段階と、
前記計算された資質値から構成された特定の技術の資質集合を生成する段階と、
既に構築されたデシジョンツリーに設定された資質選択のフローによって前記特定の技術の資質集合内の該当資質値を、前記デシジョンツリーに設定された資質選択のフローによる資質値と比較する段階と、
前記デシジョンツリーの資質選択のフローによって最終的に選択された資質値を有する段階を、前記特定の技術が前記有望な技術ライフサイクル内に属する段階として判断する段階と、を含むことを特徴とする請求項１２に記載の有望な技術ライフサイクルを用いた有望な段階判断方法。
【請求項２０】
前記デシジョンツリーに設定された資質選択のフローによる資質値は、前記正答資質集合の資質値であることを特徴とする請求項１９に記載の有望な技術ライフサイクルを用いた有望な段階判断方法。
【発明の詳細な説明】
【技術分野】
【０００１】
本発明は、有望な技術ライフサイクルを用いた有望な段階判断装置及びその方法に係り、より詳しくは、特定の技術が有望な技術ライフサイクル内のどの段階に属するかを判断することができる有望な技術ライフサイクルを用いた有望な段階判断装置及びその方法に関する。
【背景技術】
【０００２】
現在、知識や情報がその国家の競争力を左右する知識基盤産業社会に転換されつつあり、特に、国家科学技術競争力が国家競争力の源泉として認識されるようになっている。
【０００３】
そのため、世界各国は、将来の競争で生き残るための核心技術や研究課題を予め導出及び選定して、集中的な研究開発を推進しようとしている。
【０００４】
また、各国は、将来の国家科学技術を主導する有望な研究領域を見つけ出し、有望な技術ライフサイクルに位置付けて提供している。
【０００５】
しかし、従来、有望な技術ライフサイクル内にはない技術については、これが有望な技術ライフサイクル内のどの段階に属するかが分からないという問題点があった。
【発明の概要】
【発明が解決しようとする課題】
【０００６】
本発明は、上記従来技術の問題点に鑑みてなされたものであって、本発明の目的は、多種の文献データベースを用いて、有望な技術ライフサイクルにはない技術であっても、その技術が有望な技術ライフサイクル内でいずれの段階に属するかを判断することができる有望な技術ライフサイクルを用いた段階判断装置及びその方法を提供することにある。
【課題を解決するための手段】
【０００７】
上記目的を達成するために、本発明の一態様による有望な技術ライフサイクルを用いた有望な段階判断装置は、多重資源が統合された文献データベースと、有望な技術ライフサイクルに位置した有望な技術に関して、前記文献データベースを検索して所定の資質に対する資質値を求め、前記求められた資質値を用いて有望技術別の資質集合を生成する資質集合生成モジュールと、前記有望な技術ライフサイクルにおいて、同一の段階に属する有望な技術の資質集合間の共通値を求めて、段階別の正答資質集合を生成する正答資質集合生成モジュールと、特定の技術が入力された場合、前記特定の技術に関して前記文献データベースを検索して、所定の資質に対する資質値を求めて資質集合を生成し、前記生成した資質集合と前記正答資質集合を比較して、前記特定の技術が前記有望な技術ライフサイクル内に属する段階を判断する有望な段階判断モジュールと、を備える。
【０００８】
前記有望な技術ライフサイクルを用いた有望な段階判断装置は、前記特定の技術の属する段階が表示された有望な技術ライフサイクルを視覚化する視覚化モジュールをさらに備えることが好ましい。
【０００９】
前記文献データベースには、論文、特許、報告書、学術資料、新聞、標準、数値資料よりなる群から選択された一つ以上の資源が統合されていることが好ましい。
【００１０】
前記所定の資質は、それぞれの資源の数、資源の割合、それぞれの資源内の該当技術発見分野数、下位技術名の数、研究者数、国家競争力もしくは成長潜在力指数、更新記録、最終処分記録、期間、技術分野分類表、ジャーナル件数、プロシーディング件数、著者名、所属機関、ジャーナル名、資源別の絶対成長率、資源別の相対成長率、資源別の年平均複合成長率に対する成長率、資源別の著者もしくは発明者の割合、論文主題分野の増加率、論文収録ジャーナルの増加率、論文収録ジャーナルの権威、資源別の技術先導国家の成長潜在力、特許登録特許に対する公開特許の割合、特許のパテントファミリーの割合よりなる群から選択された一つ以上を備えることが好ましい。
【００１１】
前記資質集合生成モジュールは、前記有望な技術に関して前記文献データベースを検索して、所定の資質集合内のそれぞれの資質の資質値を得るための資質関連情報を獲得する資質関連情報獲得部と、前記獲得した資質関連情報を用いて、それぞれの資質に対する資質値を有望技術別に求める資質値計算部と、前記計算された資質値から構成された有望な技術別の資質集合を生成する資質集合生成部と、を備えることが好ましい。
【００１２】
前記正答資質集合生成モジュールは、前記有望な技術ライフサイクルにおいて同一の段階に属する有望な技術の資質値が他の段階の資質値との弁別力を有する共通の資質値を求め、その共通の資質値による段階別の正答資質集合を生成することが好ましい。
【００１３】
前記共通の資質値は、平均、最小もしくは最大値による範囲、標準偏差、年度別の比較よりなる群から選択された一つ以上であることが好ましい。
【００１４】
前記有望な段階判断モジュールは、特定の技術が入力された場合、前記文献データベースを検索して、所定の資質集合内のそれぞれの資質の資質値を得るための資質関連情報を獲得する資質関連情報獲得部と、前記獲得した資質関連情報を用いてそれぞれの資質に対する資質値を求める資質値計算部と、前記計算された資質値から構成された特定の技術の資質集合を生成する資質集合生成部と、前記特定の技術の資質集合をそれぞれの段階の正答資質集合と比較する資質集合比較部と、前記比較の結果、類似度の最も高い正答資質集合の段階を、前記特定の技術が前記有望な技術ライフサイクル内に属する段階として判断する段階判断部と、を備えることが好ましい。
【００１５】
前記資質集合比較部は、絶対基準が存在する場合、前記特定の技術の資質集合のうち絶対基準に該当する資質値を前記正答資質集合の該当資質値と比較し、前記段階判断部は、前記比較の結果、類似度の最も高い資質値を有する段階を、前記特定の技術が前記有望な技術ライフサイクル内に属する段階として判断することが好ましい。
【００１６】
また、前記資質集合比較部は、既に構築されたデシジョンツリーに設定された資質選択のフローによって前記特定の技術の資質集合内の該当資質値を、前記デシジョンツリーに設定された資質選択のフローによる資質値と比較し、前記段階判断部は、前記デシジョンツリーの資質選択のフローによって最終的に選択された資質値を有する段階を、前記特定の技術が前記有望な技術ライフサイクル内に属する段階として判断することが好ましい。
【００１７】
前記デシジョンツリーに設定された資質選択のフローによる資質値は、前記正答資質集合の資質値であることが好ましい。
【００１８】
上記目的を達成するために、本発明の一態様による有望な技術ライフサイクルを用いた有望な段階判断方法は、有望な技術ライフサイクルに位置した有望な技術に対する資質集合をそれぞれ生成する段階と、前記有望な技術ライフサイクルにおいて同一の段階に属する有望な技術の資質集合間の共通の資質値を求めて段階別の正答資質集合を生成する段階と、特定の技術が入力された場合、前記特定の技術に関する資質集合を生成し、前記特定の技術の資質集合を前記正答資質集合と比較して、前記特定の技術が前記有望な技術ライフサイクル内に属する段階を判断する段階と、を含む。
【００１９】
前記有望な技術ライフサイクルを用いた有望な段階判断方法は、前記特定の技術の属する段階が表示された有望な技術ライフサイクルを視覚化する段階をさらに含むことが好ましい。
【００２０】
前記有望な技術に対する資質集合を生成する段階は、前記有望な技術に関して文献データベースを検索して、所定の資質集合内のそれぞれの資質の資質値を得るための資質関連情報を獲得する段階と、前記獲得した資質関連情報を用いて、それぞれの資質に対する資質値を有望技術別に求める段階と、前記求められた資質値から構成された有望技術別の資質集合を生成する段階と、を含むことが好ましい。
【００２１】
前記段階別の正答資質集合を生成する段階は、前記有望な技術ライフサイクルにおいて同一の段階に属する有望な技術の資質値が他の段階の資質値との弁別力を有する共通の資質値を求め、前記共通の資質値による段階別の正答資質集合を生成することを含むことが好ましい。
【００２２】
前記共通の資質値は、平均、最小もしくは最大値による範囲、標準偏差、年度別の比較よりなる群から選択された一つ以上であることが好ましい。
【００２３】
前記有望な技術ライフサイクル内に属する段階を判断する段階は、特定の技術が入力された場合、前記文献データベースを検索して、所定の資質集合内のそれぞれの資質の資質値を得るための資質関連情報を獲得する段階と、前記獲得した資質関連情報を用いてそれぞれの資質に対する資質値を求める段階と、前記計算された資質値から構成された特定の技術の資質集合を生成する段階と、前記特定の技術の資質集合をそれぞれの段階の正答資質集合と比較する段階と、前記比較の結果、類似度の最も高い正答資質集合の段階を、前記特定の技術が前記有望な技術ライフサイクル内に属する段階として判断する段階と、を含むことが好ましい。
【００２４】
また、  前記有望な技術ライフサイクル内に属する段階を判断する段階は、特定の技術が入力された場合、前記文献データベースを検索して、所定の資質集合内のそれぞれの資質の資質値を得るための資質関連情報を獲得する段階と、前記獲得した資質関連情報を用いてそれぞれの資質に対する資質値を求める段階と、前記計算された資質値から構成された特定の技術の資質集合を生成する段階と、絶対基準が存在する場合、前記特定の技術の資質集合のうち絶対基準に該当する資質値を前記正答資質集合の該当の資質値と比較する段階と、前記比較の結果、類似度の最も高い資質値を有する段階を、前記特定の技術が前記有望な技術ライフサイクル内に属する段階として判断する段階と、を含むことが好ましい。
【００２５】
また、  前記有望な技術ライフサイクル内に属する段階を判断する段階は、特定の技術が入力された場合、前記文献データベースを検索して、所定の資質集合内のそれぞれの資質の資質値を得るための資質関連情報を獲得する段階と、前記獲得した資質関連情報を用いてそれぞれの資質に対する資質値を求める段階と、前記計算された資質値から構成された特定の技術の資質集合を生成する段階と、既に構築されたデシジョンツリーに設定された資質選択のフローによって前記特定の技術の資質集合内の該当資質値を、前記デシジョンツリーに設定された資質選択のフローによる資質値と比較する段階と、前記デシジョンツリーの資質選択のフローによって最終的に選択された資質値を有する段階を前記特定の技術が前記有望な技術ライフサイクル内に属する段階として判断する段階と、を含むことが好ましい。
【００２６】
前記デシジョンツリーに設定された資質選択のフローによる資質値は、前記正答資質集合の資質値であることが好ましい。
【発明の効果】
【００２７】
本発明の有望な技術ライフサイクルを用いた有望な段階判断装置によれば、多種の文献データベースを用いて、有望な技術ライフサイクルにはない技術であっても、その技術が有望な技術ライフサイクル内でどの段階に属するかを判断することができる。
【図面の簡単な説明】
【００２８】
【図１】本発明の一実施形態による有望な技術ライフサイクルを用いた有望な段階判断システムを説明するためのブロック図である。
【図２】本発明の一実施形態による有望な段階判断装置の構成を概略的に示すブロック図である。
【図３】図２に示す資質集合生成モジュールの構成を詳細に示すブロック図である。
【図４】図２に示す有望な段階判断モジュールの構成を詳細に示すブロック図である。
【図５】本発明の一実施形態による有望な段階判断装置が有望な技術ライフサイクルを用いて技術の段階を判断する方法を説明するためのフローチャートである。
【図６】本発明の一実施形態による有望な段階判断装置が有望な技術の資質集合を生成する方法を説明するためのフローチャートである。
【図７】本発明の一実施形態による有望な段階判断装置が特定の技術の段階を判断する方法を説明するためのフローチャートである。
【図８】本発明の一実施形態による特定の技術の段階の表示された有望な技術ライフサイクルを示す例示図である。
【図９】は、本発明の一実施形態によるデシジョンツリー（ｄｅｃｉｓｉｏｎ  ｔｒｅｅ）を示す例示図である。
【発明を実施するための形態】
【００２９】
本発明の前述の目的、技術的構成及びそれによる作用効果に関する詳細な事項は、本発明の明細書および図面に基づいており、以下の詳細な説明によってさらに明確に理解されるであろう。
【００３０】
図１は、本発明の一実施形態による有望な技術ライフサイクルを用いた有望な段階判断システムを示す図である。
【００３１】
図１に示すように、有望な技術ライフサイクルを用いた有望な段階判断システムは、複数の資源提供サーバー２００ａ、２００ｂ、・・・、２００ｎ（以下、２００という）から資源を収集及び統合し、その統合された資源を用いて対象技術が属する段階を判断する有望な段階判断装置１００を備える。
【００３２】
資源提供サーバー２００は、論文、特許、報告書、学術資料、新聞、標準、数値資料などの資源を提供するサーバーである。
【００３３】
有望な段階判断装置１００は、有望な技術ライフサイクルに位置した有望な技術に対する資質集合及び段階別の正答資質集合を生成する。
【００３４】
また、有望な段階判断装置１００は、判断対象の技術が入力された場合、対象技術の資質集合を生成し、生成された資質集合と正答資質集合を比較して、対象技術が有望な技術ライフサイクル内に属する段階を判断する。
【００３５】
前述のような役割を行う有望な段階判断装置１００について、図２を参照しての詳細に説明する。
【００３６】
図２は本発明の一実施形態による有望な段階判断装置の構成を概略的に示すブロック図であり、図３は図２に示す資質集合生成モジュールの構成を詳細に示すブロック図であり、図４は図２に示す有望な段階判断モジュールの構成を詳細に示すブロック図である。
【００３７】
図２に示すように、有望な段階判断装置１００は、文献データベース１１０、インターフェースモジュール１２０、資質集合生成モジュール１３０、正答資質集合生成モジュール１４０、有望な段階判断モジュール１５０、及び視覚化モジュール１７０を備える。
【００３８】
文献データベース１１０には、論文、特許、報告書、学術資料、新聞、標準、数値資料のうち少なくとも一つの資源が統合されていることが好ましい。
【００３９】
インターフェースモジュール１２０は、ユーザーとのインターフェースを行うものであって、ユーザーから特定の技術が入力される。例えば、インターフェースモジュール１２０は、通信網を介してユーザー端末と連結されたインターフェースモジュールまたはキー入力部などを言う。
【００４０】
資質集合生成モジュール１３０は、有望な技術ライフサイクルに位置した有望な技術に対して、文献データベース１１０を検索して所定の資質に対する資質値を求め、それらの求められた資質値を用いて有望な技術別の資質集合を生成する。
【００４１】
有望な技術ライフサイクルは、多様な技術のうち有望な技術として選定された時期または段階を表示したグラフであることが好ましい。
【００４２】
有望な技術ライフサイクルは、例えば、「段階１」、「段階２」、「段階３」のように、数字で表現された段階、または「黎明期（技術の引き金：Ｔｅｃｈｎｏｌｏｇｙ  Ｔｒｉｇｇｅｒ）」、「バブル期（過剰期待の頂：Ｐｅａｋ  ｏｆ  ｉｎｆｌａｔｅｄ  ｅｘｐｅｃｔａｔｉｏｎｓ）」、「幻滅期（幻滅の谷：Ｔｒｏｕｇｈ  ｏｆ  ｄｉｓｉｌｌｕｓｉｏｎｍｅｎｔ）」、「安定期（啓蒙の坂：Ｓｌｏｐｅ  ｏｆ  ｅｎｌｉｇｈｅｔｎｍｅｎｔ）」のように、技術の黎明期から説明した段階など、多様な段階に分けられる。このような有望な技術ライフサイクルで分けられる段階は、そのサイクルの作成技術者が定めることができる。
【００４３】
図３に示すように、資質集合生成モジュール１３０は、資質関連情報獲得部１３２、資質値計算部１３４、及び資質集合生成部１３６を備える。
【００４４】
資質関連情報獲得部１３２は、有望な技術に対して文献データベース１１０を検索して、所定の資質集合内のそれぞれの資質の値を得るための資質関連情報を獲得する。ここで、資質集合に定義される資質としては、例えば、論文数、特許数、国家等級、資源の割合、それぞれの資源内の該当技術発見分野数、下位技術名の数、研究者数、国家競争力／成長潜在力指数、更新記録、最終処分記録、期間、技術分野分類表、ジャーナル件数、プロシーディング件数、著者名、所属機関、ジャーナル名、論文または特許の資源別の絶対成長率、資源別の相対成長率、資源別の年平均複合成長率に対する成長率、資源別の著者／発明者の割合、論文主題分野の増加率、論文収録ジャーナルの増加率、論文収録ジャーナルの権威、資源別の技術先導国家の成長潜在力、特許登録特許に対する公開特許の割合、パテントファミリーの割合などが挙げられる。
【００４５】
資質関連情報は、前述のような資質を得るための基盤となる情報であって、例えば、該当技術についての論文や特許などが挙げられる。
【００４６】
資質値計算部１３４は、獲得した資質関連情報を用いて、それぞれの資質に対する資質値を有望な技術別に求める。
【００４７】
例えば、資質関連情報が論文または特許である場合、資質値計算部は、獲得した論文または特許を用いて論文数、特許数、国家等級、論文に対する特許の割合、論文内の該当技術発見分野数、下位技術名の数、研究者数などに対する資質値を求める。
【００４８】
資質集合生成部１３６は、求められた資質値から構成された有望な技術別の資質集合を生成する。すなわち、資質集合生成部１３６は、それぞれの有望な技術について表１に示すような資質集合を生成する。
【００４９】
【表１】
2013527531.tif 000003
【００５０】
表１に示すように、資質集合は、資質及びその資質に対する資質値から構成され、資質値の単位は、％、個数、件数など多様に表現される。
【００５１】
資質集合内の資質としては、所定の要素が用いられる。
【００５２】
正答資質集合生成モジュール１４０は、有望な技術ライフサイクルにおいて同一の段階に属する有望な技術の資質集合間の共通の資質値を求めて、段階別の正答資質集合を生成する。
【００５３】
すなわち、正答資質集合生成モジュール１４０は、有望な技術ライフサイクルにおいて同一の段階に属する有望な技術の資質値が、他の段階の資質値との弁別力を有する共通の資質値を求め、その共通の資質値による段階別の正答資質集合を生成する。
【００５４】
ここで、共通の資質値は、平均、最小／最大値による範囲、標準偏差、年度別の比較などである。ここで、年度別の比較とは、現在の年度を基準年（Ａ）とし、基準年−１（Ｂ）、基準年−２（Ｃ）、基準年−３（Ｄ）などの年度別に資質値を比較することである。また、年度別の比較は、Ａに対するＢ、Ｂに対するＡ、Ｂに対するＣのように年度別に資質値を比較する構文であってもよい。
【００５５】
正答資質集合生成モジュール１４０によって生成された正答資質集合は、表２に示す通りである。
【００５６】
【表２】
2013527531.tif 000004
【００５７】
表２は、有望な技術ライフサイクル内の黎明期（技術の引き金：Ｔｅｃｈｎｏｌｏｇｙ  Ｔｒｉｇｇｅｒ）段階に該当する正答資質集合を示すものである。
【００５８】
正答資質集合には、共通の資質値、資質値の単位、及び加重値が設定されている。加重値は、特定の技術の資質集合が属する段階を判断するための指標である類似度を求めるために利用される。
【００５９】
有望な技術のうち、特定の段階の資質値が他の段階の資質値と重なり合うこともある。そのため、正答資質集合生成モジュール１４０は、相異なる段階の間で重なり合う資質値の除去、それぞれの段階で極端的な資質値を除去することにより、段階間の衝突が発生する場合を排除するなどの方法を用いて、それぞれの段階の資質値が弁別力を有するように共通の資質値を求めて、段階別の正答資質集合を生成する。
【００６０】
有望な段階判断モジュール１５０は、インターフェースモジュール１２０を介して特定の技術が入力された場合、対象技術に関する文献データベース１１０を検索して、所定の資質に対する資質値を求めて資質集合を生成し、生成された資質集合と正答資質集合を比較することにより、特定の技術が有望な技術ライフサイクル内に属する段階を判断する。
【００６１】
有望な段階判断モジュール１５０について、図４に示すように、有望な段階判断モジュール１５０は、資質関連情報獲得部１５２、資質値計算部１５４、資質集合生成部１５６、資質集合比較部１５８、及び段階判断部１６０を備える。
【００６２】
資質関連情報獲得部１５２は、特定の技術が入力された場合、文献データベース１１０を検索して、所定の資質集合内のそれぞれの資質の資質値を得るための資質関連情報を獲得する。
【００６３】
資質値計算部１５４は、獲得された資質関連情報を用いてそれぞれの資質に対する資質値を求める。
【００６４】
資質集合生成部１５６は、資質値計算部１５４により求められた資質値から構成された対象技術の資質集合を生成する。
【００６５】
資質集合比較部１５８は、対象技術の資質集合をそれぞれの段階の正答資質集合と比較する。このとき、資質集合比較部１５８は、対象技術の資質集合内のそれぞれの資質値に加重値を適用して、段階別の正答資質集合との類似度を求める。
【００６６】
また、資質集合比較部１５８は、絶対基準が存在する場合、対象技術の資質集合のうち、絶対基準に該当する資質値を正答資質集合の該当資質値と比較する。ここで、絶対基準は、資質集合のうち任意に設定された基準であってもよい。
【００６７】
また、資質集合比較部１５８は、既に構築されたデシジョンツリーに設定された資質選択のフローによって、対象技術の資質集合内の該当資質値をデシジョンツリーに設定された資質選択のフローによる資質値と比較することができる。デシジョンツリーは、図９に示すような形態を有することが好ましい。すなわち、デシジョンツリーに設定された資質選択のフローによる資質値は、正答資質集合の資質値であることが好ましい。
【００６８】
デシジョンツリーは、それぞれの構成要素が資質で構成されており、形態及び方法については一般的なデシジョンツリーと同様であるので、その詳細な説明を省略する。
【００６９】
段階判断部１６０は、資質集合比較部１５８の比較の結果、類似度の最も高い正答資質集合の段階を、特定の技術が有望な技術ライフサイクル内に属する段階として判断する。
【００７０】
例えば、対象技術の資質集合と正答資質集合を比較した結果、対象技術の資質集合が正答資質集合の段階３との類似度が最も高い場合、段階判断部１６０は、特定の技術が有望な技術ライフサイクル内で段階３に属すると判断する。
【００７１】
また、段階判断部１６０は、デシジョンツリーの資質選択のフローによって最終的に選択された資質値を有する段階を、特定の技術が有望な技術ライフサイクル内に属する段階として判断することも可能である。
【００７２】
視覚化モジュール１７０は、特定の技術の属する段階が表示された有望な技術ライフサイクルを視覚化する。すなわち、視覚化モジュール１７０は、有望な技術ライフサイクルに対象技術を表示して出力する。
【００７３】
図５は、本発明の一実施形態による有望な段階判断装置が有望な技術ライフサイクルを用いて技術の段階を判断する方法を説明するためのフローチャートである。
【００７４】
図５に示すように、有望な段階判断装置は、有望な技術ライフサイクルに位置した有望な技術に対する資質集合をそれぞれ生成する（Ｓ５０２）。
【００７５】
有望な段階判断装置が有望な技術に対する資質集合を生成する技術についての詳細な説明は図６を参照する。
【００７６】
Ｓ５０２の後、有望な段階判断装置は、有望な技術ライフサイクルにおいて同一の段階に属する有望な技術の資質集合間の共通の資質値を求めて、段階別の正答資質集合を生成する（Ｓ５０４）。すなわち、有望な段階判断装置は、有望な技術ライフサイクルにおいて同一の段階に属する有望な技術の資質値が他の段階の資質値との弁別力を有する共通の資質値を求め、その共通の資質値による正答資質集合を段階別に生成する。
【００７７】
Ｓ５０４の後、判断対象の技術が入力されれば（Ｓ５０６）、有望な段階判断装置は、特定の技術が有望な技術ライフサイクル内に属する段階を判断する（Ｓ５０８）。特定の技術が有望な技術ライフサイクル内に属する段階を判断する方法について、図７を参照して詳細に説明する。
【００７８】
Ｓ５０８が行われた後、有望な段階判断装置は、特定の技術が属する段階の表示された有望な技術ライフサイクルを視覚化する（Ｓ５１０）。
【００７９】
すなわち、有望な段階装置は、図８に示すように、特定の技術の属する段階が表示された有望な技術ライフサイクルをディスプレイに表示する。
【００８０】
図８に示すように、特定の技術が属する段階の表示された有望な技術ライフサイクルには、特定の技術とともに所定の段階別に有望な技術が表示されている。
【００８１】
すなわち、図８に示した本実施形態による有望な技術ライフサイクルは、黎明期（技術の引き金：Ｔｅｃｈｎｏｌｏｇｙ  Ｔｒｉｇｇｅｒ）段階、バブル期（過剰期待の頂：Ｐｅａｋ  ｏｆ  Ｉｎｆｌａｔｅｄ  Ｅｘｐｅｃｔａｔｉｏｎｓ）段階、幻滅期（幻滅の谷：Ｔｒｏｕｇｈ  ｏｆ  Ｄｉｓｉｌｌｕｓｉｏｎｍｅｎｔ）段階、安定期（啓蒙の坂：Ｓｌｏｐｅ  ｏｆ  Ｅｎｌｉｇｈｔｅｎｍｅｎｔ）段階、成長期（生産性の台地：Ｐｌａｔｅａｕ  ｏｆ  Ｐｒｏｄｕｃｔｉｖｉｔｙ）段階の計５つの段階に分けられている。
【００８２】
それぞれの段階には、その段階に属する有望な技術が表示されており、特定の技術も表示されている。例えば、安定期（啓蒙の坂：Ｓｌｏｐｅ  ｏｆ  Ｅｎｌｉｇｈｔｅｎｍｅｎｔ）段階には、バイオ認証方法（Ｂｉｏｍｅｔｒｉｃ  Ａｕｔｈｅｎｔｉｃａｔｉｏｎ  Ｍｅｔｈｏｄｓ）、インターネット小額支払システム（Ｉｎｔｅｒｎｅｔ  Ｍｉｃｒｏｐａｙｍｅｎｔ  Ｓｙｓｔｅｍ）、対話型テレビ（Ｉｎｔｅｒａｃｔｉｖｅ  ＴＶ）、予測分析（Ｐｒｅｄｉｃｔｉｖｅ  Ａｎａｌｙｔｉｃ）、電子紙（Ｅｌｅｃｔｒｏｎｉｃ  Ｐａｐｅｒ）、位置認識アプリケーション（Ｌｏｃａｔｉｏｎ  Ａｗａｒｅ  Ａｐｐｌｉｃａｔｉｏｎ）、音声認識（Ｓｐｅｅｃｈ  Ｒｅｃｏｇｎｉｔｉｏｎ）などの有望な技術が表示されており、特定の技術Ａが、バブル期（過剰期待の頂：Ｐｅａｋ  ｏｆ  Ｉｎｆｌａｔｅｄ  Ｅｘｐｅｃｔａｔｉｏｎｓ）段階に表示されている。
【００８３】
ユーザーは、視覚化された有望な技術ライフサイクルを用いて、自身が入力した特定の技術がいずれの段階に属するかを容易に確認することができる。
【００８４】
ここで、有望な技術ライフサイクルの段階を黎明期（技術の引き金：Ｔｅｃｈｎｏｌｏｇｙ  Ｔｒｉｇｇｅｒ）段階、バブル期（過剰期待の頂：Ｐｅａｋ  ｏｆ  Ｉｎｆｌａｔｅｄ  Ｅｘｐｅｃｔａｔｉｏｎｓ）段階、幻滅期（幻滅の谷：Ｔｒｏｕｇｈ  ｏｆ  Ｄｉｓｉｌｌｕｓｉｏｎｍｅｎｔ）段階、安定期（啓蒙の坂：Ｓｌｏｐｅ  ｏｆ  Ｅｎｌｉｇｈｔｅｎｍｅｎｔ）段階、成長期（生産性の台地：Ｐｌａｔｅａｕ  ｏｆ  Ｐｒｏｄｕｃｔｉｖｉｔｙ）段階の計５つの段階で表示したが、段階１、段階２、段階３のように有望な技術ライフサイクルの段階を異なるように設定または変更することも可能である。
【００８５】
図６は、本発明の一実施形態による有望な段階判断装置が有望な技術の資質集合を生成する方法を説明するためのフローチャートである。
【００８６】
図６に示すように、有望な段階判断装置は、有望な技術に対して文献データベースを検索して、所定の資質集合内のそれぞれの資質の資質値を得るための資質関連情報を獲得する（Ｓ６０２）。
【００８７】
その後、有望な段階判断装置は、獲得した資質関連情報を用いて、それぞれの資質に対する資質値を有望技術別に求め（Ｓ６０４）、求められた資質値から構成された有望技術別の資質集合を生成する（Ｓ６０６）。
【００８８】
図７は、本発明の一実施形態による有望な段階判断装置が対象技術の段階を判断する方法を説明するためのフローチャートである。
【００８９】
図７に示すように、特定の技術が入力されれば（Ｓ７０２）、有望な段階判断装置は、文献データベースを検索して、所定の資質集合内のそれぞれの資質の資質値を得るための資質関連情報を獲得する（Ｓ７０４）。
【００９０】
Ｓ７０４の後、有望な段階判断装置は、獲得した資質関連情報を用いてそれぞれの資質に対する資質値を求め（Ｓ７０６）、求めた資質値から構成された特定の技術の資質集合を生成する（Ｓ７０８）。
【００９１】
Ｓ７０８の後、有望な段階判断装置は、特定の技術の資質集合をそれぞれの段階の正答資質集合と比較し（Ｓ７１０）、比較の結果、類似度の最も高い正答資質集合の段階を、特定の技術が有望な技術ライフサイクル内に属する段階として判断する（Ｓ７１２）。
【００９２】
以上、特定の技術の資質集合をそれぞれの段階の正答資質集合と比較して類似度を求め、その求められた類似度を用いて段階を判断することのみを説明したが、有望な段階判断装置は、絶対基準またはデシジョンツリーを用いて特定の技術の段階を判断することも可能である。
【００９３】
すなわち、有望な段階判断装置は、絶対基準が存在する場合、特定の技術の資質集合のうち、絶対基準に該当する資質値を正答資質集合の該当資質値と比較し、比較の結果、類似度の最も高い資質値を有する段階を、特定の技術が有望な技術ライフサイクル内に属する段階として判断することができる。
【００９４】
また、有望な段階判断装置は、既に構築されたデシジョンツリーに設定された資質選択のフローによって、対象技術の資質集合内の該当資質値をデシジョンツリーに設定された資質選択のフローによる資質値と比較し、デシジョンツリーの資質選択のフローによって最終的に選択された資質値を有する段階を、特定の技術が有望な技術ライフサイクル内に属する段階として判断することも可能である。
【００９５】
このように、本発明が属する技術分野の当業者は、本発明がその技術的思想や必須の特徴を変更せずに他の具体的な形態として実施することができるということが理解できるであろう。したがって、以上で述べた実施形態は、すべての面から例示的なものであり、限定的なものではない。本発明の範囲は、特許請求の範囲によって示され、特許請求の範囲の意味及び範囲、そしてその等価の概念から導出されるすべての変更または変形された形態が、本発明の範囲に含まれるものである。
【産業上の利用可能性】
【００９６】
以上のように、本発明の有望な技術ライフサイクルを用いた有望な段階判断装置及びその方法は、多種の文献データベースを用いて、有望な技術ライフサイクルにはない技術であっても、その技術が有望な技術ライフサイクル内でいずれの段階に属するかを判断することに適している。
【図１】
2013527531.tif 000005
【図２】
2013527531.tif 000006
【図３】
2013527531.tif 000007
【図４】
2013527531.tif 000008
【図５】
2013527531.tif 000009
【図６】
2013527531.tif 000010
【図７】
2013527531.tif 000011
【図８】
2013527531.tif 000012
【図９】
2013527531.tif 000013
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
多重資源が統合された文献データベースと、
有望な技術ライフサイクルに位置した技術に対して、前記文献データベースを検索して所定の資質に対する資質値を求め、前記求められた資質値を用いて技術別の資質集合を生成する資質集合生成モジュールと、
前記有望な技術ライフサイクルにおいて、同一の段階に属する技術の資質集合間の共通値を求めて、段階別の正答資質集合を生成する正答資質集合生成モジュールと、
特定の技術が入力された場合、前記特定の技術に関して前記文献データベースを検索して、所定の資質に対する資質値を求めて資質集合を生成し、既に構築されたデシジョンツリーに設定された資質選択のフローによって前記特定の技術の資質集合内の該当資質値を、前記デシジョンツリーに設定された資質選択のフローによる資質値と比較し、前記デシジョンツリーの資質選択のフローによって最終的に選択された資質値を有する段階を、前記特定の技術が前記有望な技術ライフサイクル内に属する段階として判断する段階判断モジュールと、
を備える有望な技術ライフサイクルを用いた有望な段階判断装置。
【請求項２】
前記特定の技術の属する段階が表示された有望な技術ライフサイクルを視覚化する視覚化モジュールをさらに備えることを特徴とする請求項１に記載の有望な技術ライフサイクルを用いた有望な段階判断装置。
【請求項３】
前記文献データベースには、論文、特許、報告書、学術資料、新聞、標準、数値資料よりなる群から選択された一つ以上の資源が統合されていることを特徴とする請求項１に記載の有望な技術ライフサイクルを用いた有望な段階判断装置。
【請求項４】
前記所定の資質は、それぞれの資源の数、資源の割合、それぞれの資源内の該当技術発見分野数、下位技術名の数、研究者数、国家競争力もしくは成長潜在力指数、更新記録、最終処分記録、期間、技術分野分類表、ジャーナル件数、プロシーディング件数、著者名、所属機関、ジャーナル名、資源別の絶対成長率、資源別の相対成長率、資源別の年平均複合成長率に対する成長率、資源別の著者もしくは発明者の割合、論文主題分野の増加率、論文収録ジャーナルの増加率、論文収録ジャーナルの権威、資源別の技術先導国家の成長潜在力、特許登録特許に対する公開特許の割合、特許のパテントファミリーの割合よりなる群から選択された一つ以上を備えることを特徴とする請求項１に記載の有望な技術ライフサイクルを用いた有望な段階判断装置。
【請求項５】
前記資質集合生成モジュールは、
前記有望技術に関して前記文献データベースを検索して、所定の資質集合内のそれぞれの資質の資質値を得るための資質関連情報を獲得する資質関連情報獲得部と、
前記獲得した資質関連情報を用いて、それぞれの資質に対する資質値を有望技術別に求める資質値計算部と、
前記計算された資質値から構成された有望技術別の資質集合を生成する資質集合生成部と、を備えることを特徴とする請求項１に記載の有望な技術ライフサイクルを用いた有望な段階判断装置。
【請求項６】
前記正答資質集合生成モジュールは、前記有望な技術ライフサイクルにおいて同一の段階に属する有望な技術の資質値が他の段階の資質値との弁別力を有する共通の資質値を求め、前記共通の資質値による段階別の正答資質集合を生成することを特徴とする請求項１に記載の有望な技術ライフサイクルを用いた有望な段階判断装置。
【請求項７】
前記共通の資質値は、平均、最小もしくは最大値による範囲、標準偏差、年度別の比較よりなる群から選択された一つ以上であることを特徴とする請求項６に記載の有望な技術ライフサイクルを用いた有望な段階判断装置。
【請求項８】
前記有望な段階判断モジュールは、
特定の技術が入力された場合、前記文献データベースを検索して、所定の資質集合内のそれぞれの資質の資質値を得るための資質関連情報を獲得する資質関連情報獲得部と、
前記獲得した資質関連情報を用いてそれぞれの資質に対する資質値を求める資質値計算部と、
前記計算された資質値から構成された特定の技術の資質集合を生成する資質集合生成部と、
前記特定の技術の資質集合をそれぞれの段階の正答資質集合と比較する資質集合比較部と、
前記比較の結果、類似度の最も高い正答資質集合の段階を、前記特定の技術が前記有望な技術ライフサイクル内に属する段階として判断する段階判断部と、を備えることを特徴とする請求項１に記載の有望な技術ライフサイクルを用いた有望な段階判断装置。
【請求項９】
絶対基準が存在する場合、前記資質集合比較部は、前記特定の技術の資質集合のうち絶対基準に該当する資質値を前記正答資質集合の該当資質値と比較し、
前記段階判断部は、前記比較の結果、類似度の最も高い資質値を有する段階を、前記特定の技術が前記有望な技術ライフサイクル内に属する段階として判断することを特徴とする請求項８に記載の有望な技術ライフサイクルを用いた有望な段階判断装置。
【請求項１０】
前記デシジョンツリーに設定された資質選択のフローによる資質値は、前記正答資質集合の資質値であることを特徴とする請求項１に記載の有望な技術ライフサイクルを用いた有望な段階判断装置。
【請求項１１】
（ａ）有望な技術ライフサイクルに位置した有望な技術に対する資質集合をそれぞれ生成する段階と、
（ｂ）前記有望な技術ライフサイクルにおいて同一の段階に属する有望な技術の資質集合間の共通の資質値を求めて、段階別の正答資質集合を生成する段階と、
（ｃ）特定の技術が入力された場合、前記特定の技術に関する資質集合を生成し、前記特定の技術の資質集合を前記正答資質集合と比較して、前記特定の技術が前記有望な技術ライフサイクル内に属する段階を判断する段階と、を含み、
前記（ｃ）段階は、特定の技術が入力された場合、前記文献データベースを検索して、所定の資質集合内のそれぞれの資質の資質値を得るための資質関連情報を獲得する段階と、
前記獲得した資質関連情報を用いてそれぞれの資質に対する資質値を求める段階と、
前記計算された資質値から構成された特定の技術の資質集合を生成する段階と、
既に構築されたデシジョンツリーに設定された資質選択のフローによって前記特定の技術の資質集合内の該当資質値を、前記デシジョンツリーに設定された資質選択のフローによる資質値と比較する段階と、
前記デシジョンツリーの資質選択のフローによって最終的に選択された資質値を有する段階を、前記特定の技術が前記有望な技術ライフサイクル内に属する段階として判断する段階と、を含むことを特徴とする有望な技術ライフサイクルを用いた有望な段階判断方法。
【請求項１２】
前記特定の技術の属する段階が表示された有望な技術ライフサイクルを視覚化する段階をさらに含むことを特徴とする請求項１１に記載の有望な技術ライフサイクルを用いた有望な段階判断方法。
【請求項１３】
前記（ａ）段階は、
前記有望な技術に関して文献データベースを検索して、所定の資質集合内のそれぞれの資質の資質値を得るための資質関連情報を獲得する段階と、
前記獲得した資質関連情報を用いて、それぞれの資質に対する資質値を有望な技術別に求める段階と、
前記求められた資質値から構成された有望な技術別の資質集合を生成する段階と、を含むことを特徴とする請求項１１に記載の有望な技術ライフサイクルを用いた有望な段階判断方法。
【請求項１４】
前記（ｂ）段階は、
前記有望な技術ライフサイクルにおいて同一の段階に属する有望な資質値が他の段階の資質値との弁別力を有する共通の資質値を求め、前記共通の資質値による段階別の正答資質集合を生成することを含むことを特徴とする請求項１１に記載の有望な技術ライフサイクルを用いた有望な段階判断方法。
【請求項１５】
前記共通の資質値は、平均、最小もしくは最大値による範囲、標準偏差、年度別の比較よりなる群から選択された一つ以上であることを特徴とする請求項１４に記載の有望な技術ライフサイクルを用いた有望な段階判断方法。
【請求項１６】
前記（ｃ）段階は、
特定の技術が入力された場合、前記文献データベースを検索して、所定の資質集合内のそれぞれの資質の資質値を得るための資質関連情報を獲得する段階と、
前記獲得した資質関連情報を用いてそれぞれの資質に対する資質値を求める段階と、
前記計算された資質値から構成された特定の技術の資質集合を生成する段階と、
前記特定の技術の資質集合をそれぞれの段階の正答資質集合と比較する段階と、
前記比較の結果、類似度の最も高い正答資質集合の段階を、前記特定の技術が前記有望な技術ライフサイクル内に属する段階として判断する段階と、を含むことを特徴とする請求項１１に記載の有望な技術ライフサイクルを用いた有望な段階判断方法。
【請求項１７】
前記（ｃ）段階は、
特定の技術が入力された場合、前記文献データベースを検索して、所定の資質集合内のそれぞれの資質の資質値を得るための資質関連情報を獲得する段階と、
前記獲得した資質関連情報を用いてそれぞれの資質に対する資質値を求める段階と、
前記計算された資質値から構成された特定の技術の資質集合を生成する段階と、
絶対基準が存在する場合、前記特定の技術の資質集合のうち絶対基準に該当する資質値を前記正答資質集合の該当の資質値と比較する段階と、
前記比較の結果、類似度の最も高い資質値を有する段階を、前記特定の技術が前記有望な技術ライフサイクル内に属する段階として判断する段階と、を含むことを特徴とする請求項１１に記載の有望な技術ライフサイクルを用いた有望な段階判断方法。
【請求項１８】
前記デシジョンツリーに設定された資質選択のフローによる資質値は、前記正答資質集合の資質値であることを特徴とする請求項１１に記載の有望な技術ライフサイクルを用いた有望な段階判断方法。
【手続補正２】
【補正対象書類名】明細書
【補正対象項目名】０００７
【補正方法】変更
【補正の内容】
【０００７】
上記目的を達成するために、本発明の一態様による有望な技術ライフサイクルを用いた有望な段階判断装置は、多重資源が統合された文献データベースと、有望な技術ライフサイクルに位置した有望な技術に関して、前記文献データベースを検索して所定の資質に対する資質値を求め、前記求められた資質値を用いて有望技術別の資質集合を生成する資質集合生成モジュールと、前記有望な技術ライフサイクルにおいて、同一の段階に属する有望な技術の資質集合間の共通値を求めて、段階別の正答資質集合を生成する正答資質集合生成モジュールと、特定の技術が入力された場合、前記特定の技術に関して前記文献データベースを検索して、所定の資質に対する資質値を求めて資質集合を生成し、既に構築されたデシジョンツリーに設定された資質選択のフローによって前記特定の技術の資質集合内の該当資質値を、前記デシジョンツリーに設定された資質選択のフローによる資質値と比較し、前記デシジョンツリーの資質選択のフローによって最終的に選択された資質値を有する段階を、前記特定の技術が前記有望な技術ライフサイクル内に属する段階を判断する有望な段階判断モジュールと、を備えることを特徴とする。
【手続補正３】
【補正対象書類名】明細書
【補正対象項目名】００１６
【補正方法】削除
【補正の内容】
【手続補正４】
【補正対象書類名】明細書
【補正対象項目名】００１８
【補正方法】変更
【補正の内容】
【００１８】
上記目的を達成するために、本発明の一態様による有望な技術ライフサイクルを用いた有望な段階判断方法は、（ａ）有望な技術ライフサイクルに位置した有望な技術に対する資質集合をそれぞれ生成する段階と、（ｂ）前記有望な技術ライフサイクルにおいて同一の段階に属する有望な技術の資質集合間の共通の資質値を求めて段階別の正答資質集合を生成する段階と、（ｃ）特定の技術が入力された場合、前記特定の技術に関する資質集合を生成し、前記特定の技術の資質集合を前記正答資質集合と比較して、前記特定の技術が前記有望な技術ライフサイクル内に属する段階を判断する段階と、を含み、前記（ｃ）段階は、特定の技術が入力された場合、前記文献データベースを検索して、所定の資質集合内のそれぞれの資質の資質値を得るための資質関連情報を獲得する段階と、前記獲得した資質関連情報を用いてそれぞれの資質に対する資質値を求める段階と、前記計算された資質値から構成された特定の技術の資質集合を生成する段階と、既に構築されたデシジョンツリーに設定された資質選択のフローによって前記特定の技術の資質集合内の該当資質値を、前記デシジョンツリーに設定された資質選択のフローによる資質値と比較する段階と、前記デシジョンツリーの資質選択のフローによって最終的に選択された資質値を有する段階を、前記特定の技術が前記有望な技術ライフサイクル内に属する段階として判断する段階と、を含むことを特徴とする。
【手続補正５】
【補正対象書類名】明細書
【補正対象項目名】００２０
【補正方法】変更
【補正の内容】
【００２０】
前記（ａ）段階は、前記有望な技術に関して文献データベースを検索して、所定の資質集合内のそれぞれの資質の資質値を得るための資質関連情報を獲得する段階と、前記獲得した資質関連情報を用いて、それぞれの資質に対する資質値を有望技術別に求める段階と、前記求められた資質値から構成された有望技術別の資質集合を生成する段階と、を含むことが好ましい。
【手続補正６】
【補正対象書類名】明細書
【補正対象項目名】００２１
【補正方法】変更
【補正の内容】
【００２１】
前記（ｂ）段階は、前記有望な技術ライフサイクルにおいて同一の段階に属する有望な技術の資質値が他の段階の資質値との弁別力を有する共通の資質値を求め、前記共通の資質値による段階別の正答資質集合を生成することを含むことが好ましい。
【手続補正７】
【補正対象書類名】明細書
【補正対象項目名】００２３
【補正方法】変更
【補正の内容】
【００２３】
前記（ｃ）段階は、特定の技術が入力された場合、前記文献データベースを検索して、所定の資質集合内のそれぞれの資質の資質値を得るための資質関連情報を獲得する段階と、前記獲得した資質関連情報を用いてそれぞれの資質に対する資質値を求める段階と、前記計算された資質値から構成された特定の技術の資質集合を生成する段階と、前記特定の技術の資質集合をそれぞれの段階の正答資質集合と比較する段階と、前記比較の結果、類似度の最も高い正答資質集合の段階を、前記特定の技術が前記有望な技術ライフサイクル内に属する段階として判断する段階と、を含むことが好ましい。
【手続補正８】
【補正対象書類名】明細書
【補正対象項目名】００２４
【補正方法】変更
【補正の内容】
【００２４】
また、  前記（ｃ）段階は、特定の技術が入力された場合、前記文献データベースを検索して、所定の資質集合内のそれぞれの資質の資質値を得るための資質関連情報を獲得する段階と、前記獲得した資質関連情報を用いてそれぞれの資質に対する資質値を求める段階と、前記計算された資質値から構成された特定の技術の資質集合を生成する段階と、絶対基準が存在する場合、前記特定の技術の資質集合のうち絶対基準に該当する資質値を前記正答資質集合の該当の資質値と比較する段階と、前記比較の結果、類似度の最も高い資質値を有する段階を、前記特定の技術が前記有望な技術ライフサイクル内に属する段階として判断する段階と、を含むことが好ましい。
【手続補正９】
【補正対象書類名】明細書
【補正対象項目名】００２５
【補正方法】削除
【補正の内容】
【国際調査報告】
2013527531.tif 000014
2013527531.tif 000015
2013527531.tif 000016
2013527531.tif 000017